【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
双方向性通信装置で使用する方法であって、
ダウンストリームのデータ信号が検出されるまで複数の通信チャンネルの各々について以下のステップ、すなわち、
前記複数の通信チャンネルから１つの通信チャンネルを選択するステップと、
第１のシステム・インタフェース標準に従う第１の帯域幅を有するダウンストリーム信号をチェックするステップと、
前記第１の帯域幅を有する前記ダウンストリーム信号が検出されなければ、第２のシステム・インタフェース標準に従う第２の帯域幅を有するダウンストリーム信号について前記選択された通信チャンネルをチェックするステップと、
を繰り返し実行する、前記双方向性通信装置で使用する方法。
【請求項２】
前記第１および第２のシステム・インタフェース標準が、北米のＤＯＣＳＩＳ標準および欧州のＤＯＣＳＩＳ標準を含むグループから選択される、請求項１記載の双方向性通信装置で使用する方法。
【請求項３】
前記チェックするステップが、欧州のＤＯＣＳＩＳ標準に対して最適化され、前記第１の帯域幅が、８ＭＨｚのダウンストリーム信号であり、前記第２の帯域幅が、６ＭＨｚのダウンストリーム信号である、請求項１記載の双方向性通信装置で使用する方法。
【請求項４】
前記チェックするステップが、北米のＤＯＣＳＩＳ標準に対して最適化され、前記第１の帯域幅が、６ＭＨｚのダウンストリーム信号であり、前記第２の帯域幅が、８ＭＨｚのダウンストリーム信号である、請求項１記載の双方向性通信装置で使用する方法。
【請求項５】
複数のプリセット・チャンネルの周波数、複数のＣＣＩＲチャンネルの周波数、複数のＵＫチャンネルの周波数、複数のＨＲＣチャンネルの周波数、および複数のＩＲＣチャンネルの周波数のうち少なくとも１つを前記複数の通信チャンネルが含む、請求項１記載の双方向性通信装置で使用する方法。
【請求項６】
前記複数の通信チャンネルが、連続的な周波数範囲を含む、請求項５記載の双方向性通信装置で使用する方法。
【請求項７】
前記連続的な周波数範囲をインクリメンタル・ステップでチェックする、請求項６記載の双方向性通信装置で使用する方法。
【請求項８】
複数のプリセット・チャンネル周波数、複数のＣＣＩＲチャンネル周波数、複数のＵＫチャンネル周波数、複数のＨＲＣチャンネル周波数、および複数のＩＲＣチャンネル周波数のうち前記少なくとも１つを、少なくとも２回チェックしてから、前記連続的な周波数範囲をチェックするステップを含む、請求項６記載の双方向性通信装置で使用する方法。
【請求項９】
前記連続的な周波数範囲が、１１０ＭＨｚ〜８６２ＭＨｚ間の周波数範囲を含む、請求項６記載の双方向性通信装置で使用する方法。
【請求項１０】
ダウンストリームのデータ信号を検出すると、ダウンストリーム・データ信号のＤＯＣＳＩＳ標準に従ってマルチ‐レートの復調器を設定し、且つダウンストリーム・データ信号の中のケーブル・モデム・ターミネーション・システム情報に従って変調器を設定するステップを更に含む、請求項２記載の双方向性通信装置で使用する方法。
【請求項１１】
前記双方向性通信装置が、ケーブル・モデムである、請求項１記載の双方向性通信装置で使用する方法。
【請求項１２】
マルチ‐モード双方向性通信装置であって、
高域フィルタと低域フィルタを含むダイプレクサと、
前記高域フィルタに結合されるダウンストリーム処理回路と、
前記低域フィルタに結合されるアップストリーム処理回路と、
複数の通信チャンネルを検索する検出手段と、
から成り、
複数のインタフェース標準の１つに従うダウンストリーム・データ信号を捕捉するためにそれぞれの通信チャンネルがチェックされてから、別の通信チャンネルがチェックされる、前記マルチ‐モード双方向性通信装置。
【請求項１３】
前記ダウンストリーム処理回路が、
チューナと、
マルチ‐レート復調器と、
前記チューナと前記復調器との間に選択的に結合されるＳＡＷフィルタと、
から成る、請求項１２記載のマルチ‐モード双方向性通信装置。
【請求項１４】
前記ＳＡＷフィルタが、８ＭＨｚの帯域幅を有する、請求項１２記載のマルチ‐モード双方向性通信装置。
【請求項１５】
前記高域フィルタが、１０６ＭＨｚ以上の信号を通過させる、請求項１２記載のマルチ‐モード双方向性通信装置。
【請求項１６】
前記低域フィルタが、６５ＭＨｚ以下の信号を通過させる、請求項１２記載のマルチ‐モード双方向性通信装置。
【請求項１７】
前記マルチ‐モード双方向性通信装置が、ケーブル・モデムである、請求項１２記載のマルチ‐モード双方向性通信装置。
【請求項１８】
前記複数のインタフェース標準が、北米のＤＯＣＳＩＳ標準および欧州のＤＯＣＳＩＳ標準を含むグループから選択される、請求項１２記載のマルチ‐モード双方向性通信装置。
【請求項１９】
前記検出手段が、８ＭＨｚまたは６ＭＨｚの帯域幅を有する６４ＱＡＭと２５６ＱＡＭダウンストリーム信号のうち少なくとも１つを捕捉するために前記複数の通信チャンネルの各々をチェックするコントローラを具えている、請求項１２記載のマルチ‐モード双方向性通信装置。
【請求項２０】
複数のプリセット・チャンネル周波数、複数のＣＣＩＲチャンネル周波数、複数のＵＫチャンネル周波数、複数のＨＲＣチャンネル周波数、および複数のＩＲＣチャンネル周波数のうち少なくとも１つを前記複数の通信チャンネルが含む、請求項１９記載のマルチ‐モード双方向性通信装置。
【手続補正２】
【補正対象書類名】明細書
【補正対象項目名】発明の名称
【補正方法】変更
【補正の内容】
【発明の名称】双方向性通信装置で使用する方法および双方向性通信装置
【手続補正３】
【補正対象書類名】明細書
【補正対象項目名】０００７
【補正方法】変更
【補正の内容】
【０００７】
本発明の開示は，添付されている図面に関連して以下の詳細な説明を考慮することにより容易に理解することができる。理解を容易にするために、各図面に共通する同じ要素は、できるだけ同じ参照番号を使用して表している。
特許請求の範囲と実施例との対応関係を実施例で使われている参照番号を用いて示すと以下の通りである。
（請求項１）
双方向性通信装置（１０２）で使用する方法であって、
ダウンストリームのデータ信号が検出されるまで複数の通信チャンネルの各々について以下のステップ、すなわち、
前記複数の通信チャンネルから１つの通信チャンネルを選択する（３０６）ステップと、
第１のシステム・インタフェース標準に従う第１の帯域幅を有するダウンストリーム信号をチェック（３０８）するステップと、
前記第１の帯域幅を有する前記ダウンストリーム信号が検出されなければ（３１０）、第２のシステム・インタフェース標準に従う第２の帯域幅を有するダウンストリーム信号について前記選択された通信チャンネルをチェック（３１２）するステップと、
を繰り返し実行する、前記双方向性通信装置で使用する方法。
（請求項２）
前記第１および第２のシステム・インタフェース標準が、北米のＤＯＣＳＩＳ標準および欧州のＤＯＣＳＩＳ標準を含むグループから選択される、請求項１記載の双方向性通信装置で使用する方法。
（請求項３）
前記チェックするステップが、欧州のＤＯＣＳＩＳ標準に対して最適化され、前記第１の帯域幅が、８ＭＨｚのダウンストリーム信号であり（３０８、３１０）、前記第２の帯域幅が、６ＭＨｚのダウンストリーム信号である（３１２、３１４）、請求項１記載の双方向性通信装置で使用する方法。
（請求項４）
前記チェックするステップが、北米のＤＯＣＳＩＳ標準に対して最適化され、前記第１の帯域幅が、６ＭＨｚのダウンストリーム信号であり（３１２、３１４）、前記第２の帯域幅が、８ＭＨｚのダウンストリーム信号である（３０８、３１０）、請求項１記載の双方向性通信装置で使用する方法。
（請求項５）
複数のプリセット・チャンネルの周波数（３０４〜３１６）、複数のＣＣＩＲチャンネルの周波数（３１８〜３２８）、複数のＵＫチャンネルの周波数（３３０〜３４０）、複数のＨＲＣチャンネルの周波数、および複数のＩＲＣチャンネルの周波数のうち少なくとも１つを前記複数の通信チャンネルが含む、請求項１記載の双方向性通信装置で使用する方法。
（請求項６）
前記複数の通信チャンネルが、連続的な周波数範囲を含む（３４６〜３５８）、請求項５記載の双方向性通信装置で使用する方法。
（請求項７）
前記連続的な周波数範囲をインクリメンタル・ステップ（３５８）でチェックする、請求項６記載の双方向性通信装置で使用する方法。
（請求項８）
複数のプリセット・チャンネル周波数（３０４〜３１６）、複数のＣＣＩＲチャンネル周波数（３１８〜３２８）、複数のＵＫチャンネル周波数（３３０〜３４０）、複数のＨＲＣチャンネル周波数、および複数のＩＲＣチャンネル周波数のうち前記少なくとも１つを、少なくとも２回チェックして（３４２、３４４）から、前記連続的な周波数範囲（３４６〜３５８）をチェックするステップを含む、請求項６記載の双方向性通信装置で使用する方法。
（請求項９）
前記連続的な周波数範囲が、１１０ＭＨｚ〜８６２ＭＨｚ間の周波数範囲を含む、請求項６記載の双方向性通信装置で使用する方法。
（請求項１０）
ダウンストリームのデータ信号を検出する（３６２）と、ダウンストリーム・データ信号のＤＯＣＳＩＳ標準に従ってマルチ‐レートの復調器を設定し、且つダウンストリーム・データ信号の中のケーブル・モデム・ターミネーション・システム情報に従って変調器を設定するステップを更に含む、請求項２記載の双方向性通信装置で使用する方法。
（請求項１１）
前記双方向性通信装置が、ケーブル・モデムである、請求項１記載の双方向性通信装置で使用する方法。
（請求項１２）
マルチ‐モード双方向性通信装置（１０２）であって、
高域フィルタ（１３２）と低域フィルタ（１３４）を含むダイプレクサ（１３０）と、
前記高域フィルタに結合されるダウンストリーム処理回路（１０８）と、
前記低域フィルタに結合されるアップストリーム処理回路（１０６）と、
複数の通信チャンネルを検索する検出手段（１２６、３００）と、
から成り、
複数のインタフェース標準の１つに従うダウンストリーム・データ信号を捕捉するためにそれぞれの通信チャンネルがチェックされてから、別の通信チャンネルがチェックされる、前記マルチ‐モード双方向性通信装置（１０２）。
（請求項１３）
前記ダウンストリーム処理回路が、
チューナ（１１２）と、
マルチ‐レート復調器（１１８）と、
前記チューナと前記復調器との間に選択的に結合されるＳＡＷフィルタ（１１４）と、
から成る、請求項１２記載のマルチ‐モード双方向性通信装置。
（請求項１４）
前記ＳＡＷフィルタが、８ＭＨｚの帯域幅を有する、請求項１２記載のマルチ‐モード双方向性通信装置。
（請求項１５）
前記高域フィルタが、１０６ＭＨｚ以上の信号を通過させる、請求項１２記載のマルチ‐モード双方向性通信装置。
（請求項１６）
前記低域フィルタが、６５ＭＨｚ以下の信号を通過させる、請求項１２記載のマルチ‐モード双方向性通信装置。
（請求項１７）
前記マルチ‐モード双方向性通信装置が、ケーブル・モデム（１０２）である、請求項１２記載のマルチ‐モード双方向性通信装置。
（請求項１８）
前記複数のインタフェース標準が、北米のＤＯＣＳＩＳ標準および欧州のＤＯＣＳＩＳ標準を含むグループから選択される、請求項１２記載のマルチ‐モード双方向性通信装置。
（請求項１９）
前記検出手段が、８ＭＨｚまたは６ＭＨｚの帯域幅を有する６４ＱＡＭと２５６ＱＡＭダウンストリーム信号のうち少なくとも１つを捕捉するために前記複数の通信チャンネルの各々をチェックするコントローラ（１２６）を具えている、請求項１２記載のマルチ‐モード双方向性通信装置。
（請求項２０）
複数のプリセット・チャンネル周波数（３０４〜３１６）、複数のＣＣＩＲチャンネル周波数（３１８〜３２８）、複数のＵＫチャンネル周波数（３３０〜３４０）、複数のＨＲＣチャンネル周波数、および複数のＩＲＣチャンネル周波数のうち少なくとも１つを前記複数の通信チャンネルが含む、請求項１９記載のマルチ‐モード双方向性通信装置。